(57)【要約】  本発明は携帯用化粧品ケースに関し、より具体的には、小型の化粧品セルを備えた化粧品ケースを回転式に回して化粧品ケース本体の開口部に化粧品が盛られた化粧品セルを止めるようにして使用しようとする化粧品セルに盛られた化粧品を選択して用いることができるように複数の化粧品セルを有するもので、多様な化粧品を携帯及び保管しやすく化粧品ケースに内蔵して携帯することにより、必要時に、化粧する際に化粧品を便利に用いることを特徴とする帯用化粧品ケースに関する。
2021532955.tif 000002
【特許請求の範囲】
【請求項１】
下部が開口された化粧品ケースふたと化粧品が内蔵された化粧品ケース本体とで構成された携帯用化粧品ケースにおいて、
前記化粧品ケース本体（２０）は、円柱状で、且つ下部が開口された状態であり、中心部に開口部（２２）、上部に内部キャップ（２１）と結合されるように上部ねじ山（２３）を通じて結着するように構成され、
前記化粧品ケース本体（２０）に挿入される化粧品ケース（３０）は、円柱状で、且つ中心部に複数の化粧品セル装着部（３１）を有し、下端部に下部ねじ山（３２）を有し、前記化粧品ケース（３０）を回転することができるように回転取っ手（３３）で構成されることを特徴とする携帯用化粧品ケース。
【請求項２】
化粧品セル装着部（３１）に装着される化粧品が盛られた化粧品セル（４０）は、前記化粧品セル装着部（３１）の大きさによって、大きさが互いに異なる化粧品セル（４０）を２つまたは３つを選択的に化粧品セル装着部（３１）の大きさに合わせて装着するようにすることにより、多様な化粧品を携帯及び保管しやすく構成されることを特徴とする請求項１に記載の携帯用化粧品ケース。
【請求項３】
化粧品ケース本体（２０）下端部の内部面に複数の係止溝（２４）と、化粧品ケース（３０）の下端部の外部面に複数の係止突起（３４）を有し、回転取っ手（３３）によって回転させることにより、前記係止溝（２４）と係止突起（３４）が一致するようにし、前記化粧品ケース本体（２０）の開口部（２２）と化粧品ケース（３０）の化粧品セル装着部（３１）に装着された化粧品が盛られた化粧品セル（４０）が前記開口部（２２）と一致するように止めて、化粧品セル（４０）に盛られた化粧品を選択して用いることができるように構成されることを特徴とする請求項１に記載の携帯用化粧品ケース。
【請求項４】
化粧品ケースふた（１０）は化粧品ケース（３０）下端部の下部ねじ山（３２）と回転によって結合または離脱されるように下端部の内部面にねじ山（符号省略）を構成し、下部が開口された状態で円柱状または六角柱状に形成されることを特徴とする請求項１に記載の携帯用化粧品ケース。
【発明の詳細な説明】
【技術分野】
【０００１】
本発明は携帯用化粧品ケースに関し、より具体的には、小型の化粧品セルを備えた化粧品ケースを回転式に回して化粧品ケース本体の開口部に化粧品が盛られた化粧品セルを止めるようにして使おうとする化粧品セルに盛られた化粧品を選択して用いることができるように複数の化粧品セルを有するもので、多様な化粧品を携帯及び保管しやすく化粧品ケースに内蔵して携帯することにより、必要時に、化粧する際に化粧品を便利に用いることを特徴とする携帯用化粧品ケースに関する。
【背景技術】
【０００２】
一般に、女性たちは自分の個性と美しさを表出するために多様な種類の化粧品を用いて多様な技法と方法で化粧をするが、このような化粧品として、ファウンデーション、パウダー、アイシャドー、リップスティック、アイブロー、アイライナー、リップパレットなどがあり、その他にも多様な種類の化粧品がある。
【０００３】
そして、メイクアップ化粧品は化粧をしたり美しくするために顔や目及び唇などに塗るメイクアップ化粧品は一つずつ包装されず複数のメイクアップ化粧品が一つのケースに同時に収納された状態で販売されている。
【０００４】
このようなメイクアップ化粧品ケースは複数の区画壁によって区分されて、複数のメイクアップ化粧品がそれぞれ色相別に収納される複数の収納部が形成されたパレット及びメイクアップ化粧品を用いるための筆を据え置く筆据置台が備えられた本体と、メイクアップ化粧品を保護することができるように本体にヒンジ結合されて開閉可能なカバーとで構成されている。
【発明の概要】
【発明が解決しようとする課題】
【０００５】
しかしながら、前記のような従来のパレット方式のメイクアップ化粧品ケースは大部分携帯しにくいほど大きく形成されて、一般の家庭や美容室などのように所定の場所のみで用いることができるという問題点がある。
【０００６】
また、従来のメイクアップ化粧品ケースはメイクアップ化粧品が色相別に露出された状態に配置されて、化粧する過程でメイクアップ化粧品粉末が他のメイクアップ化粧品の上に落ちて汚染または変色の虞があり、また、収納される筆の数字が少なくて筆を用いる過程で混色が発生するという問題点がある。
【０００７】
また、化粧品ケースは化粧品の種類が多い時にはケースの大きさが大きい必要があるという短所を有するため携帯が不便であり、大きさの小さいケースを複数携帯してこそ満足できる種類の数の化粧品を携帯することができて、携帯品が複数になってそれによる不便があった。
【０００８】
また、専門職種に勤めている女性の場合、化粧をしてから取る一連の過程を繰り返すので、多量の化粧品と環境や雰囲気によって化粧品の色相が変更されるので多様な種類の化粧品を携帯しなければならなく、そのため、化粧品による携帯品が過重されるという問題点があった。
【課題を解決するための手段】
【０００９】
そこで、本発明は上記のような従来の問題点を解決するために案出されたもので、本発明の目的は、化粧品を使って化粧をするためには多様な種類の化粧品を携帯しなければならないので、化粧品による携帯品が過重される不便を解消するために、小型の化粧品セルを備えた化粧品ケースを回転式に回して化粧品ケース本体の開口部に化粧品が盛られた化粧品セルを止めるようにして使おうとする化粧品セルに盛られた化粧品を選択して用いることができるように複数の化粧品セルを有する化粧品ケースは多様な化粧品を携帯するだけでなく、体積を減小することができて、携帯及び保管を簡便にした携帯用化粧品ケースを提供するためのものである。
【発明の効果】
【００１０】
以上の説明のように、本発明による携帯用化粧品ケースを用いることにより、複数の化粧品を大きさの小さい化粧品セルに複数個にして多様な種類の化粧品を携帯及び保管することができるという効果を奏する。
【００１１】
円筒状に形成された携帯用化粧品ケースに小型の化粧品セルを備えた化粧品ケースを回転式に回して化粧品ケース本体の開口部に化粧品が盛られた化粧品セルを止めるようにして使おうとする化粧品セルに盛られた化粧品を選択して用いることができて、便利性を提供することができるという効果を奏する。
【図面の簡単な説明】
【００１２】
【図１】本発明における携帯用化粧品ケースの全体構成の分解図である。
【図２】本発明における携帯用化粧品ケースのふたの構成斜視図である。
【図３】本発明における携帯用化粧品ケースの化粧品ケース本体の構成斜視図である。
【図４】本発明における携帯用化粧品ケースの化粧品ケースの構成斜視図である。
【図５】本発明における携帯用化粧品ケースの全体構成の結合例示図である。
【図６】本発明における携帯用化粧品ケースの全体構成の結合例示図である。
【図７】本発明における携帯用化粧品ケースの全体構成の結合例示図である。
【図８】本発明における携帯用化粧品ケースの全体構成の結合例示図である。
【発明を実施するための形態】
【００１３】
本発明の複数の実施例は多様な形態に変形されることができ、本発明の範囲が後述する複数の実施例によって限定されると解釈されてはならない。
【００１４】
本発明は化粧品を用いて化粧をするためには、多様な種類の化粧品を携帯しなければならないことから化粧品による携帯品が過重される不便を解消するために、小型の化粧品セルを備えた化粧品ケースを回転式に回して化粧品ケース本体の開口部に化粧品が盛られた化粧品セルを止めるようにして使おうとする化粧品セルに盛られた化粧品を選択して用いることができるように複数の化粧品セルを有した化粧品ケースは多様な化粧品を携帯するだけでなく、体積を減小することができて多様な化粧品を携帯及び保管しやすく化粧品ケースに内蔵して携帯することにより、必要時に、化粧をする際に化粧品を便利に用いることを特徴とする携帯用化粧品ケースに関するものである。
【００１５】
図１は本発明における携帯用化粧品ケースの全体構成の分解図であり、図２は本発明における携帯用化粧品ケースのふたの構成斜視図であり、図３は本発明における携帯用化粧品ケースの化粧品ケース本体の構成斜視図であり、図４は本発明における携帯用化粧品ケースの化粧品ケースの構成斜視図であり、図５〜図８は本発明における携帯用化粧品ケースの全体構成の結合例示図を示した図である。
【００１６】
前記図１〜図８を通じて、より具体的に説明すれば次の通りである。
【００１７】
本発明における携帯用化粧品ケース１００は、化粧品を保護するために化粧品ケース本体２０の上側に挿入されて結合または離脱されるように下部が開口された状態で円柱状または六角柱状に形成された化粧品ケースふた１０を有する。
【００１８】
より詳しくは、図２に示された、前記化粧品ケースふた１０の下端部の内部面にねじ山（図示しない）が図４に示された化粧品ケース３０の下端部の下部ねじ山３２と回転によって結合または離脱されるように構成される。
【００１９】
図３に示された化粧品ケース本体２０は円柱状で、且つ下部が開口された状態で、化粧品セル４０が装着された化粧品ケース３０が挿入されるようにする。
【００２０】
前記化粧品ケース本体２０の中心部に開口部２２が形成され、化粧品ケース３０の化粧品セル装着部３１に装着された化粧品セル４０が前記開口部２２と一致するようにする。
【００２１】
化粧品セル４０に盛られた化粧品を選択して用いることができるように構成する。
【００２２】
前記挿入された化粧品ケース３０の離脱を防止するために化粧品ケース本体２０の上部に内部キャップ２１と結合されるように上部ねじ山２３を通じて結着されるようにした。
【００２３】
より詳しく説明すれば、前記内部キャップ２１の内部面にねじ山（図示しない）が図３に示された化粧品ケース本体２０の上端部の上部ねじ山２３と回転によって結合または離脱されるように構成される。
【００２４】
また、図３に示された化粧品ケース本体２０の下端部の内部面に複数の係止溝２４を有し、図４に示された化粧品ケース３０の下端部の外部面に複数の係止突起３４と傾斜度を有し、回転取っ手３３によって回転させる。
【００２５】
それにより、前記化粧品ケース本体２０の開口部２２と化粧品ケース３０の化粧品セル装着部３１に装着された化粧品セル４０が前記開口部２２と一致するように止めて、より簡単に使おうとする化粧品セル４０に盛られた化粧品を選択して用いることができるように構成される。
【００２６】
図４に示された化粧品ケース３０は、円柱状で、中心部に複数の化粧品セル装着部３１を有し、多様な種類の化粧品が盛られた化粧品セル４０を装着するようにする。
【００２７】
前記化粧品セル４０が装着された化粧品ケース３０を回転式に回して化粧品ケース本体２０の係止溝２４と係止突起３４が一致するようにして、開口部２２に化粧品が盛られた化粧品セル４０を止めて、使おうとする化粧品セル４０に盛られた化粧品を選択して用いることができるように構成された。
【００２８】
前記化粧品ケース３０下端部の下部ねじ山３２と前記図２に示された化粧品ケースふた１０下端部の内部面にねじ山（図示しない）が回転によって結合または離脱されるように構成される。
【００２９】
前記化粧品ケース３０の下部に化粧品ケース３０を回転することができるように回転取っ手３３を有する。
【００３０】
前記化粧品セル４０は複数個で、化粧品セル装着部３１の大きさによって、例えば、大きさが互いに異なる化粧品セル４０を２つまたは３つを選択的に化粧品セル装着部３１の大きさに合わせて装着することにより、多様な化粧品を携帯及び保管しやすく構成された携帯用化粧品ケースに関する。
【００３１】
前記携帯用化粧品ケース３０に区画された複数の化粧品セル４０の内部にはアイシャドー、アイブロー、アイライナー、リップパレット、ファウンデーションのような化粧品が収納されて簡便に携帯した状態で化粧をすることができるようにした。携帯用化粧品ケースふた１０は化粧品ケース３０に区画された化粧品セル４０を保護するために化粧品ケース本体２０を覆って重なるように構成されたのである。
【００３２】
図５〜図８は本発明における携帯用化粧品ケースの全体構成の結合例示図を示した。
【００３３】
図５は本発明における携帯用化粧品ケース１００が化粧品を保護するために化粧品ケース本体２０の上側に挿入されて結合または離脱されるように下部が開口された状態で構成された化粧品ケースふた１０が挿入または離脱される状態を示す。
【００３４】
図６は前記化粧品ケースふた１０が離脱された状態で化粧品ケース本体２０で開口部２２を通じて装着された化粧品セル４０、下部ねじ山３２、回転取っ手３３が示された状態を示す。
【００３５】
図７は化粧品ケース本体２０と、化粧品セル装着部３１に化粧品セル４０が装着されたり交換することを示す。
【００３６】
図８は図７の化粧品ケース本体２０を上側で見た内部構成を示す。
【００３７】
本発明は小型の化粧品セルを備えた化粧品ケースを回転式に回して化粧品ケース本体の開口部に化粧品が盛られた化粧品セルを止めるようにして使おうとする化粧品セルに盛られた化粧品を選択して用いることができるように複数の化粧品セルを有する化粧品ケースは多様な化粧品を携帯するだけでなく、体積を減小することができて多様な化粧品を携帯及び保管しやすく化粧品ケースに内蔵して携帯することにより、必要時に、化粧をする際に化粧品を便利に用いることを特徴とする携帯用化粧品ケースに関する。
【符号の説明】
【００３８】
１００  携帯用化粧品ケース
１０  化粧品ケースふた
２０  化粧品ケース本体
２１  内部キャップ  
２２  開口部
２３  上部ねじ山
２４  係止溝
３０  化粧品ケース
３１  化粧品セル装着部
３２  下部ねじ山
３３  回転取っ手
３４  係止突起
４０  化粧品セル
【図１】
2021532955.tif 000003
【図２】
2021532955.tif 000004
【図３】
2021532955.tif 000005
【図４】
2021532955.tif 000006
【図５】
2021532955.tif 000007
【図６】
2021532955.tif 000008
【図７】
2021532955.tif 000009
【図８】
2021532955.tif 000010
【国際調査報告】
2021532955.tif 000011
2021532955.tif 000012
2021532955.tif 000013
2021532955.tif 000014